(57)【特許請求の範囲】
【請求項１】
矩形状をなす器具本体と；
器具本体の長手方向に沿う凹溝を形成した取付部と；
取付部の凹溝に沿って配設される発光部と；
枠部と、枠部の一端側に突出形成された固定片と、枠部の他端側に突出形成され、前記取付部に係合すると共に、前記固定片と同形状の固定片を前記枠部と共に係止可能に構成された係合片とを有し、隣接する固定片と係合片が互いに係止して前記取付部の凹溝に取り付けられた複数のルーバーと、；
を具備していることを特徴とする照明器具。
【請求項２】
前記ルーバーは、長手方向に所定の間隔を有して設けられる複数の遮光板と、隣接する遮光板の間に発光部が外方に臨むように形成される光出射口と、光出射口の短手方向の両側部に、外方に向かい拡開する反射面とを有し、遮光板による長手方向の遮光角が、反射面による短手方向の遮光角よりも大きいことを特徴とする請求項１記載の照明器具。
【発明の詳細な説明】
【技術分野】
【０００１】
本発明の実施形態は、発光ダイオード等の固体発光素子を光源とする照明器具に関する。
【背景技術】
【０００２】
近年、フィラメント電球や蛍光ランプに代わって、寿命が長く、また消費電力の少ない固体発光素子である発光ダイオードを光源として採用した照明器具が商品化されている。これら照明器具に用いられる発光ダイオードは、蛍光ランプ等に比較して輝度が高いことから不快なグレアを感じる可能性があり、ルーバーによって光の配光を制御し、使用者にグレアを与えないように抑制している。
【先行技術文献】
【特許文献】
【０００３】
【特許文献１】特開２００８−１１７５３８号公報
【発明の概要】
【発明が解決しようとする課題】
【０００４】
しかしながら、店舗やオフィス等で使用される照明器具は、器具の長さが１０００ｍｍを越える大形の器具が用いられることから、必然的にルーバーも細く長いものが使用されている。このため、長手方向に沿って撓みが生じるなど強度的な問題が発生する。同時に、これらルーバーは一般的に合成樹脂で成形され、細く長い大形の金型が必要となりコスト上昇の一因にもなっている。
【０００５】
本発明は、上記問題に鑑みてなされたもので、強度も強くコスト的に有利なルーバーを用いることにより、グレアを抑制することが可能な固体発光素子を光源とした照明器具を提供しようとするものである。
【課題を解決するための手段】
【０００６】
本発明の実施形態における照明器具の発明は、矩形状をなす器具本体と；器具本体の長手方向に沿う凹溝を形成した取付部と；取付部の凹溝に沿って配設される発光部と；枠部と、枠部の一端側に突出形成された固定片と、枠部の他端側に突出形成され、前記取付部に係合すると共に、前記固定片と同形状の固定片を前記枠部と共に係止可能に構成された係合片とを有し、隣接する固定片と係合片が互いに係止して前記取付部の凹溝に取り付けられた複数のルーバーと、；を具備していることを特徴とする。
【発明の効果】
【０００７】
本実施形態によれば、強度も強くコスト的に有利なルーバーを用いることにより、グレアを抑制することが可能な固体発光素子を光源とした照明器具を提供することができる。
【図面の簡単な説明】
【０００８】
【図１】第１の実施形態に係る照明器具を示し、（ａ）は端板を外した状態で示す斜視図、（ｂ）は照明器具のルーバーを示す斜視図。
【図２】同じく照明器具を示し、（ａ）は天井へ設置した状態を下方から見た斜視図、（ｂ）は背面側から見た斜視図。
【図３】同じく照明器具を、カバー部材を外し、ルーバーの一部を切り欠いて示す正面図。
【図４】同じく照明器具を分解し、器具本体、光源体および側面板の一部を切り欠いて示す斜視図。
【図５】同じく照明器具を天井に設置する状態を示し、（ａ）は設置状態を図３のａ−ａ線に沿って切断した断面図、（ｂ）は光源体を器具本体に組み込む状態を示す断面図。
【図６】同じく照明器具のルーバーを示し、（ａ）は側面図、（ｂ）は正面図、（ｃ）は本（ｂ）図のｃ−ｃ線に沿う断面図、（ｄ）は本（ｂ）図のｄ−ｄ線に沿い切断し、一部を切り欠いて示す断面図。
【図７】同じく照明器具の複数のルーバーを取付部に取り付けた状態を示す図で、（ａ）は取付部を断面して示す側面図、（ｂ）は取付部を外して示す底面図。
【図８】同じく照明器具を示し、（ａ）は図２（ｂ）の矢印ａ方向から見た一部の側面図、（ｂ）は本（ａ）図のｂ−ｂ線に沿う断面図。（ｃ）は本（ａ）図のｃ−ｃ線に沿う断面図。
【図９】同じく照明器具から異物を排出する状態を示す正面図。
【図１０】同じく照明器具の第１の変形例を示し、（ａ）は天井へ設置した状態を下方から見た斜視図、（ｂ）は背面側から見た斜視図。
【図１１】同じく照明器具の第１の変形例を示し、照明器具を天井に設置した状態を示す図５（ａ）に相当する断面図。
【発明を実施するための形態】
【０００９】
以下、照明器具の実施形態につき図に従い説明する。
【第１の実施形態】
【００１０】
本実施形態の照明器具１０は、直付け形の薄型のルーバー付ベースライトを構成するもので、矩形状をなす器具本体１１、器具本体の長手方向に沿う凹溝１２ｂを形成した取付部１２、取付部の凹溝に沿って配設される発光部１３、枠部１４ａと、枠部の一端側に突出形成された固定片１４ｅと、枠部の他端側に突出形成され、前記取付部に係合すると共に、前記固定片と同形状の固定片を前記枠部と共に係止可能に構成された係合片１４ｆとを有し、隣接する固定片と係合片が互いに係止して前記取付部の凹溝に取り付けられた複数のルーバー１４で構成する。
【００１１】
器具本体１１は、薄板からなる鋼板をプレス加工することによって構成され、横断面形状が浅い略Ｕ字形をなし、底面部１１ａ(器具を天井に設置した状態では上面部)を有すると共に両端部に開口部１１ｂを有する略矩形状の長尺状をなすケース体となるように構成する。底面部１１ａには、図２に示すように、器具設置用のダルマ孔１１ａ１が形成され、器具の天井等への設置時に、その背面１１ａ２が設置面となる。
【００１２】
器具本体１１は、ケース体の長手方向に沿う一方の側板１１ｃの端縁部を鉤状に折曲して枢支部１１ｃ１を一体に形成する。また、長手方向に沿う他方の側板１１ｄの両端部分に、取付ネジＳ１を挿通するための固定孔１１ｄ１を１個ずつ、計２個形成し、固定孔の裏面側にそれぞれ対向して、取付ネジＳ１をねじ込むための固定金具１１ｄ２を固定する（図５（ａ））。また、開口部１１ｂを有する器具本体１１の短手方向の両端部は、底面部１１ａが延長されることにより閉止部１１ｂ１が一体に形成される（図８（ａ））。閉止部は後述する端板１７ａ、１７ｂと共に開口部１１ｂを塞ぐように構成される。
【００１３】
取付部１２は、放熱性を高めるために熱伝導性の良好な金属、本実施形態では、器具本体１１と同様に、薄板からなる白色の塗装鋼板をプレス加工することにより構成される。取付部１２は、長手方向の略中心線ａ−ａ（図３）上に位置して凹溝１２ａを一体に形成し、この凹溝の両側に略平行し、かつ逆方向に凹む一対の凹溝１２ｂ、１２ｂを一体に形成し、短手方向の両端部が開放した矩形状の長尺状をなし、器具本体１１内に収容される大きさの取付部となるように構成する。
【００１４】
取付部１２の長手方向に形成された凹溝１２ａには、照明器具を組み立てた際に、後述する点灯装置１９のケース１９ａの高さ方向の少なくとも一部分、すなわち、先端の山形部分がオーバーラップして収容される（図５（ａ））。また、両側の各凹溝１２ｂ、１２ｂの内面には、外方に向かって開放するように傾斜する面からなる傾斜面１２ｂ１を形成する。また、取付部１２の長手方向の両側縁部を鉛直方向に折り曲げて支持片部１２ｃを一体に形成する。
【００１５】
発光部１３は、図５（ａ）に示すように、固体発光素子１３ａと固体発光素子を実装した回路基板１３ｂからなる。固体発光素子は、本実施形態では発光ダイオード（以下「ＬＥＤ」と称す）で構成し、複数個のＳＭＤタイプのＬＥＤ１３ａからなる。なお、ＬＥＤとしては、複数個のＬＥＤチップおよびこのＬＥＤチップにより励起される蛍光体により白色（昼白色、昼光色、電球色を含む）を発光するタイプの、いわゆるＣＯＢ形であってもよい。回路基板１３ｂは、熱伝導性の良好な金属、本実施形態では平板状の薄く細長い長方形をなすアルミニウムで構成され、その表面（図５（ａ）における下方の面）に電気絶縁層を介して銅箔からなる配線パターンが形成され、この配線パターン上に複数個の各ＬＥＤ１３ａが略直線状に一列に略等間隔に配設され実装された発光モジュールからなる発光部１３が構成される（図３）。この発光モジュールは、取付部１２に対して均等に分割して配設できるように、４枚の短冊状をなすモジュールに分割して、両側の各凹溝１２ｂ、１２ｂで計８枚のモジュールに分割して設けられる。
【００１６】
上記のように回路基板１３ｂにＬＥＤ１３ａを実装した発光部１３は、取付部１２に形成された両側の各凹溝１２ｂ、１２ｂの底部に、長手方向の略中心線ｂ−ｂ（図３）上に位置して電気絶縁を図り、かつ密着されるように、１列、両側で２列に連接して配設される。また、必要に応じてシリコーン樹脂等で構成された電気絶縁シート等（図示せず）を介し凹溝１２ｂ、１２ｂの底部にネジ等の固定手段を用い密着して固定される。
【００１７】
ルーバー１４は、図１（ｂ）、図６、図７に示すように、耐候性・耐熱性・電気絶縁性の良好な合成樹脂、本実施形態では、細長い長方形の白色のＰＢＴで、枠部１４ａと遮光板１４ｂが一体に形成されている。遮光板は、発光部１３の複数個のＬＥＤ１３ａに対応して長手方向に所定の間隔を有して複数枚が設けられ、隣接する遮光板１４ｂの間に発光部１３のＬＥＤ１３ａが外方に臨むように光出射口１４ｃが形成される。光出射口の短手方向の両側部は、外方に向かい拡開する反射面１４ｄが一体に形成されている。上記に構成されたルーバー１４は、複数個が用意され、本実施形態では、取付部１２の各凹溝１２ｂ、１２ｂに沿い、直線状に並べられた発光部１３の多数のＬＥＤ１３ａを、光出射口１４ｃから外部に臨ませるように対向して配設される。また、ルーバー１４は、多数のＬＥＤ１３ａを均等に分割した状態で配置できるように、４枚、両側の凹溝１２ｂ、１２ｂで計８枚のルーバーを用いた。
【００１８】
各ルーバー１４は、枠部１４ａの一端側（図中左端）に底面から一体に突出させて固定片１４ｅを形成する。固定片の突出部分には、固定用のネジＳ２を挿通させるための固定孔１４ｅ１を形成する。また、他端部側（図中右端）には底面から一体に突出させて係合片１４ｆを形成する。係合片は鉤形に突出形成された２本の係合片で構成され、２本の係止片間の寸法は、その内側に上記の突出した固定片１４ｅが嵌合されるに幅寸法に形成する。
【００１９】
一方、ルーバー１４が支持される取付部１２の凹溝１２ｂの内底面には、ルーバー１４の係合片１４ｆが挿入されて係合さる係合孔１２ｆを形成する（図７（ａ））。係合孔は凹溝の長手方向に沿い、４枚の各ルーバー１４における係合片１４ｆが係合できる間隔を有して等間隔に形成される。本実施形態においては、片側の凹溝の長手方向に沿って４個、両側の凹溝１２ｂ、１２ｂで合計８個の係合孔１２ｆを形成する。係合孔は、２本の係合片１４ｆがそれぞれ個々に係合されるように、並設された２個の四角形状の孔で構成する。
【００２０】
上記に構成された複数に分割されたルーバー１４は、取付部１２の凹溝１２ｂ、１２ｂの内底面に対し、次のように連結されて支持される。すなわち、４枚のルーバー１４を取付部１２に取り付けた状態である図７に示すように、先ず、先頭になるルーバー１４−１（図中右端のルーバー）の係合片１４ｆ−１を凹溝１２ｂの１個目の係合孔１２ｆ−１に挿入して係合する。
【００２１】
次に２枚目のルーバー１４−２の２本の係合片１４ｆ−２の間に、先頭のルーバー１４−１の固定片１４ｅ−１を差し込む。差し込んだ状態のまま、２本の係合片１４ｆ−２を２個目の係合孔１２ｆ−２に挿入して係合する。
【００２２】
そして、同様にして順次３枚目、４枚目のルーバーを連結しながら各係合孔に係合させる。最後のルーバー１４−４は、固定片１４ｅ―４に設けられた固定孔１４ｅ１にタッピンネジＳ２を挿入し凹溝１２ｂ底面のネジ孔にねじ込んで固定する。
【００２３】
これにより、各ルーバーは、１本のネジによって鍵状をなす係合片１４ｆと四角形状の係合孔１２ｆに係合され落下することなく固定され、かつ分割された４枚のルーバーが連結されて取付部１２に取り付けられる。同様にして、他方の凹溝１２ｂにも４枚のルーバー１４を配設し、計８枚のルーバーを取付部１２に取り付ける。この際、ルーバー１４は短く複数に分割されており、細く長い形態となっていないので、４枚のルーバーが長手方向に沿って撓み難くなる。また、各ルーバー１４は、上記とは逆に、１本のタッピンネジＳ２を外し、係合片１４ｆを係合孔１２ｆから引き抜くことによって簡単に外すことができる。
【００２４】
上記に設置された各ルーバー１４の遮光角は次のように設定される、すなわち、図６（ｄ）に示すように、長手方向の遮光角θ１は、遮光板１４ｂによって約６０°の遮光角度に規制され、長手方向と直交する短手方向の遮光角θ２は、図６（ｃ）に示すように、傾斜する反射面１４ｄによって、遮光板１４ｂよりも広角、本実施形態では約３０°の遮光角度に配光制御され、発光部１３から放射される光が、主として長手方向と直交する短手方向に向けて放射するような配光特性をもたせると共に、特に、長手方向において使用者がグレアを感じることを抑制している。なお、グレアの抑制と配光特性、特に、部屋の明るさとの関係から、長手方向の遮光角θ１は、４５〜７５°、好ましくは、５０〜７０°がよい。また、短手方向の遮光角θ２は、１５〜４５°、好ましくは、２０〜４０°がよい。
【００２５】
そして、ルーバー１４および発光部１３を覆うように、取付部１２の凹溝１２ｂ、１２ｂに対向してカバー部材１５が設けられる。カバー部材は、グレアをさらに防ぐためにフロストをかけた半透明の乳白色をなすアクリル樹脂からなり、矩形状の長尺状の薄い板状をなし、取付部１２と略同一の外郭形状・寸法をなすように構成する。このカバー部材１５と、ルーバー１４および発光部１３を設けた取付部１２は、次のようにして一体化され光源体Ａを構成する。すなわち、図４、図８に示すように、１６ａ、１６ｂは、取付部１２の長手方向の両側縁部に沿う長いサッシ状の側面板で、取付部の両側縁部に対応して一対２枚が設けられる。２枚の側面板１６ａ、１６ｂは、放熱性を高めるために熱伝導性の良好な金属、本実施形態では、器具本体１１や取付部１２と同様に、薄板からなる白色の塗装鋼板をプレス加工することにより構成される。一方の側面板１６ａは、その内面の断面形状を「コ」の字状に形成し、コ字の先端部分を内方に鉤状に折り曲げて回動用の軸部１６ａ１を一体に形成する。そして、この軸部を形成することにより外面に形成された段部１６ａ２に対し、後述する端板取り付け用のネジ孔からなる固定孔１６ａ３を形成する。この固定孔は、側面板１６ａの両端部にそれぞれ１個ずつ形成される。
【００２６】
他方の側面板１６ｂは、同様に、その内面の断面形状を「コ」の字状に形成し外面に段部１６ｂ２を形成する。そして、段部の底面部に後述する端板取り付け用のネジ孔からなる固定孔１６ｂ３を形成する。この固定孔は、側面板の両端部にそれぞれ１個ずつ形成される。また、段部１６ｂ２の側面部を鉛直方向に立ち上げた支持片部１６ｂ１を一体に形成する。この支持片部の両端部には、器具本体１１の他方の側板１１ｄに形成された２個の固定孔１１ｄ１に対応する挿通孔１６ｄ１をそれぞれ形成する。
【００２７】
上記に構成された２枚の側面板１６ａ、１６ｂのコの字の内面に対して、取付部１２の長手方向の両側縁部に形成した支持片部１２ｃ、１２ｃが挿入され、溶接等の固定手段によって取付部１２と側面板１６ａ、１６ｂが固定される。支持片部の鉛直方向の長さ寸法ｈ１（図８（ｃ））は、取付部１２の外表面との間に隙間Ｓ３が形成されるように構成する。この隙間Ｓ３に対し、薄い板状をなすカバー部材１５を差し込むようにして挿入する。隙間Ｓ３の寸法はカバー部材の板厚ｔ１と略等しい寸法（Ｓ３≧ｔ１）に形成する。これにより、カバー部材１５の短手方向の両側縁部が隙間Ｓ３内で挟持されカバー部材１５が自重では落下しない程度に保持される。同時に取付部１２とカバー部材１５との間に長手方向に空間ａ（図１（ａ））が形成される。このようにして、発光部１３、取付部１２、カバー部材１５からなる光源体Ａが構成される。
【００２８】
上記のように一体化された光源体Ａにおける空間ａの長手方向の両端部は開放されており、この開口部は同一形状の２個の端板１７ａ、１７ｂによって閉塞される。この端板は化粧枠を兼ねるもので、耐候性・耐熱性・電気絶縁性の良好な合成樹脂、本実施形態では、白色のＰＢＴ（ポリブチレンテレフタレート）で一体に形成されている。各端板１７ａ、１７ｂは、光源体Ａの長手方向の両端部のみを覆うように、その幅寸法を小となし、上面を開放し、内面の断面形状は、側面板１６ａ、１６ｂの「コ」の字の外面を覆うように、「コ」の字形に形成し、外面に段部１７ａ１、１７ｂ１が形成されるように樹脂によって一体に成形される。段部１７ａ１、１７ｂ１の底面部には、上述した両側の側面板１６ａ、１６ｂの両端部に形成された固定孔１６ａ３、１６ｂ３に対応して、端板固定用の貫通孔１７ａ３、１７ｂ３をそれぞれ形成する。
【００２９】
この端板１７ａ、１７ｂは、図８（ｂ）に示すように、取付部１２とカバー部材１５の両端部に対して、両側から覆うように、空間ａの両端部の開口部を塞ぐように差し込まれ、段部１７ａ１、１７ｂ１の底面部に形成された端板固定用の貫通孔１７ａ３、１７ｂ３から、両側の側面板１６ａ、１６ｂの両端部に形成されたネジ孔からなる固定孔１６ａ３、１６ｂ３に対して固定具、本実施形態では、タッピンネジ１８をねじ込むことによって固定される。
【００３０】
この固定は、器具本体１１の背面１１ａ２側から鉛直線ｖ−ｖ方向に向けてドライバでねじ込むことにより行われる。また、器具が天井等に設置された状態では、天井との隙間Ｓ４は端板１７ａ、１７ｂの段部１７ａ１、１７ｂ１のわずかな隙間Ｓ４しかなく、ドライバ等の工具を差し込むことができないため、タッピンネジ１８を外すことができない構成となっている。
【００３１】
点灯装置１９は、内部に点灯回路を構成する多数の電子部品を収納した細長い直方体をなすケース１９ａで構成され、その長手方向が器具本体１１の長手方向の略中心線ａ−ａ（図３）上に沿い位置するようにして配設され、ケース１９ａの底面が複数のネジ若しくはスポット溶接等の手段によって器具本体１１の底面部１１ａの内面側に固定される。点灯装置１９のケース１９ａの縦断面形状は、山形形状になるように構成され、この山形形状の部分が、後述するように、照明器具を組み立てた際に、取付部１２の凹溝１２ａ内にオーバーラップして収容される。なお、点灯装置は、器具本体１１内に内蔵せずに、器具本体と別体に構成し、点灯装置別置き形の照明器具を構成するようにしてもよい。なお、図中Ｃは、点灯装置１９の出力端子と発光部１３の入力端子を接続するコネクタである。
【００３２】
上記により、ルーバー１４、発光部１３を設けた取付部１２と、カバー部材１５からなる光源体Ａは、器具本体１１に取り付けられて直付け形の薄形のベースライトからなる照明器具１０が構成される。すなわち、図５（ｂ）に示すように、器具本体１１のケース体の下方の開放部に対して、光源部Ａの発光部１３を外側に位置させ、かつ光源体の長手方向を器具本体１１の長手方向に合わせて位置させる。さらに、光源体Ａを縦方向に位置させ、一方の側面板１６ａの鉤部からなる軸部１６ａ１を器具本体１１の一方の側板１１ｃの枢支部１１ｃ１に嵌め込む。これにより、光源体Ａが軸部１６ａ１を中心にして約９０°の角度範囲にわたって矢印の方向に回動させることができ、光源体Ａの他方の側面板１６ｂを器具本体１１の他方の側板１１ｄに当接させる。当接させた状態で、固定孔１１ｄ１、挿通孔１６ｄ１を合致させ、取付ネジＳ１を押し込み固定金具１１ｄ２にねじ込んで固定する（図５（ａ））。この状態で、器具本体１１の底面部１１ａの内面側に固定された点灯装置１９のケース１９ａの高さ方向の少なくとも一部分、すなわち、先端の山形部分がオーバーラップして取付部１２の凹溝１２ａ内に収容される。この際、点灯装置１９の先端部分が取付部１２に当たったり接触したりすることがない。また、光源体Ａを器具本体１１に対して組み込むことによって、図８（ａ）に示すように、器具本体１１の両端部に延長して形成された閉止部１１ｂ１が、両端の端板１７ａ、１７ｂの開放された上面にそれぞれ当接して器具本体１１両端部の開口部１１ｂが塞がれる。
【００３３】
これにより、光源体Ａと器具本体１１が一体化され、直付け形の薄形のルーバー付ベースライトからなる照明器具１０が構成される。本実施形態における照明器具１０の長さ寸法Ｌは約９００ｍｍ、幅寸法Ｗは約１５０ｍｍ、高さ寸法Ｈは約４０ｍｍである。
【００３４】
次に上記に構成された照明器具１０を天井Ｘに設置する手順について説明する。まず、器具本体１１の底面部１１ａの背面１１ａ２を天井Ｘに押付けて支持する。この状態で、ケース体の底面部１１ａに設けられたダルマ孔等からなる設置孔１１ａ１に木ネジを差し込み、天井Ｘにねじ込んで固定する。この状態で商用電源に接続されたＦケーブルと点灯装置１９の入力端子を接続する配線を行う。
【００３５】
配線が終了した段階で、天井Ｘに設置された器具本体１１に対して、光源体Ａを上述のように、縦方向に位置させて、一方の側面板１６ａの軸部１６ａ１を器具本体１１の枢支部１１ｃ１に嵌め込む。この状態、すなわち、光源体Ａが下方に開き、器具本体１１の下面が開放された状態で、点灯装置１９の出力端子と発光部１３の入力端子をコネクタＣによって接続する配線を行う。
【００３６】
次に、光源体Ａを、器具本体１１の下面を塞ぐようにして軸部１６ａ１を中心に図中矢印方向に回動させ、光源体Ａの他方の側面板１６ｂを器具本体１１の側板１１ｄに当接させる。当接させた状態で、固定孔１１ｄ１、挿通孔１６ｄ１に取付ネジＳ１を押し込み固定金具１１ｄ２にねじ込んで固定する（図５（ａ））。これにより、光源体Ａが器具本体１１に組み込まれて一体化され、直付け形の薄形のベースライトからなる照明器具１０が天井面Ｘに設置される。このとき取付ネジＳ１およびタッピンネジ１８は、天井と光源体Ａの側面板１６ａ、１６ｂとの間に形成される狭い隙間Ｓ４に収容されて隠れることから、器具設置後の外観を良好にすることができる。
【００３７】
上記に設置された照明器具１０を点灯すると、発光部１３の各ＬＥＤ１３ａから光が放射され、放射された光はルーバー１４によって主として長手方向と直交する短手方向に向けて放射され目的とする所定の照明を行う。同時に、特に、長手方向に対し遮光板１４ｂによって光の一部遮り、長手方向において使用者がグレアを感じることを抑制している。また、各ＬＥＤ１３ａから発生する熱は、器具本体１１内に放熱され、鋼板からなり、かつ凹溝１２ａ、１２ｂ、１２ｂによって表面積が広くなった取付部１２の背面側から、同じく鋼板からなる器具本体１１内に放射され外部に放熱される。同時に、取付部１２から左右両側の２枚の鋼板からなる側面板１６ａ、１６ｂにも伝達され外部に放熱される。また、点灯装置１９の電子部品から発生する熱は、ケース体１９ａから器具本体１１内に放熱され、器具本体から外部に放熱される。この際、発光部１３から発生する熱の経路と、点灯装置１９の電子部品から発生する熱の経路が別になって分離されるので、お互いの熱が干渉し難くなる。すなわち、発光部１３と点灯装置１９とが、器具本体１１の短手方向にずれて配置されており、さらに、発光部１３が点灯装置１９の下端位置よりも上方にあるため、発光部１３で発生した熱が点灯装置１９に影響を与え難い。
【００３８】
また、光源体Ａを外す場合には、図５（ａ）の状態から、上記とは逆に取付ネジＳ１を外し、矢印とは逆方向に回動させて器具本体１１の下面を開放し、点灯装置１９と発光部１３を接続していたコネクタＣを外して電気接続を遮断する（図５（ｂ））。この状態で、光源体Ａの軸部１５ａ１を器具本体１１の枢支部１１ｃ１から外すことにより、光源体Ａを器具本体１１から容易に取り外すことができる。
【００３９】
取り外した状態でカバー部材１４と取付部１２との間の空間内に虫等の死骸が入っていた場合には、一方、例えば、端板１７ａのタッピンネジ１８を外し、端板１７ａを外すことによって取付部１２における空間ａ（図１（ａ））が開放される。これにより、図９に示すように、光源体Ａを縦にして振ることにより、取付部１２の空間内に入り込んだ虫の死骸等の異物ｚを外に排出することができる。この際、ルーバー１４は、取付部１２に確実に固定されているので落下することはない。この際、カバー部材１５の短手方向の両側縁部が隙間Ｓ３内で挟持され、カバー部材１５が自重では落下しない程度に保持され、端板１７ａを外した状態で取付部１２と共に一体的に構成されているので、カバー部材１５が落下することはない。
【００４０】
また、端板１７ａ、１７ｂを側面板１６ａ、１６ｂに固定するためのタッピンネジ１８は、端板の段部１７ａ１、１７ｂ１の底面部に設けられ、しかも、器具本体１１の背面１１ｂ側から鉛直線ｖ−ｖ方向に向けてドライバでねじ込むことにより行われる（図８（ｂ））。このため、器具本体１１が天井Ｘに設置された状態では、天井との間には段部１７ａ１、１７ｂ１による狭い隙間Ｓ４しか形成されないためドライバ等の工具を差し込むことができず、タッピンネジ１８を外すことができない。
【００４１】
これにより、虫等の死骸を排出する際には、必ず光源体Ａを器具本体１１から外した状態、すなわち、コネクタＣを外して電気接続を遮断した状態でしか行うことができず安全である。また、光源体Ａを外した状態でカバー部材１５は外れておらず、発光部１３を覆ったまま外すことができ、ＬＥＤ１３ａの充電部等を手で触ることができず安全である。また、虫等の死骸を排出する際の操作は、ドライバ１本でいづれか一方の端板１７ａ、１７ｂを外せばよく、一般の使用者であっても容易に行うことができる。
【００４２】
以上、本実施形態において、発光部１３、ルーバー１４、取付部１２、カバー部材１５からなる光源体Ａは、図１０、図１１に示すように、天井等に埋め込まれる器具本体に組み込み、埋め込み形の薄形のルーバー付ベースライト３０を構成するようにしてもよい。
【００４３】
すなわち、１１は、天井Ｘに形成された埋め込み穴３１に設置される縦断面形状が中空の蒲鉾形をなす器具本体で、両側の側板１１ｃ、１１ｄの長手方向に沿う側面の両端部分に、係合孔２０、２０を２個ずつ計４個形成する。また、光源体Ａにおける一方の側面板１６ａには係合孔２０に対応して２個の係合片１６ａ４を回動できるように取り付け、回動操作によって係合片１６ａ４が側面板１６ａから突出するように構成する。また他方の側面板１６ｂには、係合孔２０に対応して２個の鉤形の係止片１６ｂ４を取り付ける。
【００４４】
上記に構成された器具本体１１および光源体Ａは、光源体の鉤形の係合片１６ａ４を器具本体の一方の側板１１ｄに形成された係合孔２０に挿入して係合し、光源体の回動可能な係合片１６ａ４を器具本体の他方の側板１１ｃに形成された係合孔２０に対し、回動させて突出させることにより挿入し係合させる。これにより、図１１に示すように、光源体Ａが器具本体１１に対して着脱が可能になるように組み込まれて一体化され、天井埋込形の薄形のルーバー付ベースライトからなる照明器具３０が構成される。
【００４５】
また、光源体Ａを外す場合には、図１１の状態から、一方の側板１６ａの係合片１６ａ４を、上記とは逆方向に回動させて側板１１ｃの係合孔２０との係合を解除し、光源体Ａを下方に開放してコネクタＣを外し、さらに、他方の側板１６ｂの鉤形の係止片１６ｂ４を係合孔２０から外すことによって光源体Ａを器具本体１１から容易に取り外すことができる。なお、本変形例の器具本体１１は、器具本体の側板１１ｃ、１１ｄの外側面に設けられたステンレス製の板バネ等からなる取付具、若しくは吊りボルト等によって予め天井に設置される。なお、本変形例における他の構成、作用、天井等への設置手順は、上述した実施形態と同様であり詳細な説明は省略する。
【００４６】
本変形例においても、上述した実施形態と同様に、発光部１３の各ＬＥＤ１３ａから放射された光はルーバー１４によって主として長手方向と直交する短手方向に向けて放射され目的とする所定の照明を行うと同時に、特に、長手方向に対し遮光板１４ｂによって光の一部遮り、長手方向において使用者がグレアを感じることを抑制している。
【００４７】
また、端板１７ａ、１７ｂは、光源体Ａを器具本体１１から外した状態でしか外すことができない。これにより、虫等の死骸を排出する際には、必ず光源体Ａを器具本体１１から外した状態、すなわち、コネクタＣを外して電気接続を遮断した状態でしか行うことができず安全である。また、光源体Ａを外した状態でカバー部材１５は外れておらず、発光部１３を覆ったまま作業を行うことができる。特に、本変形例によれば、上述した直付け形の光源体Ａを共通に用いることによって、直付け形の器具および埋め込み形の器具を簡単に構成することができる。
【００４８】
また、本実施形態において、照明器具は、天井等の被設置体に対して設置されるベースライト等に適用することが好適であるが、その他の住宅用や店舗、オフィスなど施設・業務用等の各種の照明器具を構成してもよい。固体発光素子は、発光ダイオードで構成したが、半導体レーザ、有機ＥＬなどの固体発光素子で構成されることが許容される。固体発光素子は、細長い長方形の回路基板に直線状をなすように実装したが、多数の固体発光素子をマトリックス状に配置したものや、千鳥状または放射状など、規則的に一定の順序をもって一部または全体が面状に配置され実装されたものであってもよい。また、カバー部材は、透明な樹脂でも、透明または半透明のガラスで構成してもよい。
【００４９】
以上、本実施形態によれば、枠部１４ａと、枠部の一端側に突出形成された固定片１４ｅと、枠部の他端側に突出形成され、取付部１２に係合すると共に、固定片と同形状の固定片を枠部と共に係止可能に構成された係合片１４ｆとを有し、隣接する固定片１４ｅと係合片１４ｆが互いに係止して取付部１２の凹溝１２ｂに取り付けられた複数のルーバー１４により、強度も強くコスト的に有利なルーバーを用いることにより、グレアを抑制することが可能なＬＥＤを光源とした照明器具を提供することができる。
【００５０】
また、ルーバー１４は、遮光板１４ｂによる長手方向の遮光角θ１が、反射面１４ｄによる短手方向の遮光角θ２よりも大きくしたので、発光部１３の各ＬＥＤ１３ａから放射された光はルーバー１４によって主として長手方向と直交する短手方向に向けて放射され目的とする所定の照明を行うことができると同時に、特に、長手方向に対し遮光板１４ｂによって光の一部遮り、長手方向において使用者がグレアを感じることを抑制することが可能となる。
【００５１】
また、発光ダイオードを光源とした器具においては、薄形化を達成するために、光源を器具本体内に浅く、しかも表面近くに配置するため、器具本体の側面板による遮光がますます難しくなっている。しかし、本実施形態のルーバー１４によれば、遮光板１４ｂによって所望とする遮光角を確実に形成することができ、この種の薄形化に好適なルーバーを提供すること可能となる。
【００５２】
また、ルーバー１４は複数に分割されており、細く長い形態となっていないので、ルーバーが長手方向に沿って撓み難く、さらに、分割された各ルーバー１４は、同一の形状をなしていることから、これら分割されたルーバーを構成するための小形の共通の金型で構成することができコスト低減を図ることが可能となる。また、共通の金型で同一構成のルーバーを構成することができるので、ルーバーの使用個数を選定するだけで各種サイズの器具に対応することが可能となり、汎用性に優れたルーバーを提供することができる。
【００５３】
また、各ルーバー１４は、１本のタッピンネジＳ２によって取り付けることができるので、部品点数が少なくコスト的に一層有利になると共に、組み立て作業が簡素化し量産に適したルーバー付の照明器具を提供することが可能となる。また、各ルーバー１４は、１本のネジを外し、係合片１４ｆを係合孔１２ｆから引き抜くことによって簡単に外すことができ、汚れたルーバーを簡単に掃除することができる。また、取付部１２の空間内に入り込んだ虫の死骸等の異物ｚを外に排出するときも、各ルーバー１４は、取付部１２に固定されているので落下することはなく安全である。
【００５４】
また、本実施形態によれば、取付部１２の凹溝１２ｂは傾斜面１２ｂ１をなすように構成したので、ルーバー１４を取付部１２に対して設けることなく構成しても、換言すれば、取付部１２に反射機能をもたせることにより、ルーバーなしの照明器具を構成することも可能であり、汎用性に優れた照明器具を提供することもできる。以上、本発明の好適な実施形態を説明したが、本発明は上述の実施形態に限定されることなく、本発明の要旨を逸脱しない範囲内において、種々の設計変更を行うことができる。
【符号の説明】
【００５５】
１０  照明器具
１１  器具本体
１２  取付部
１２ｂ  凹溝
１３  発光部
１４  ルーバー
１４ａ  枠部
１４ｂ  遮光板
１４ｃ  光出射口
１４ｄ  反射面
１４ｅ  固定片
１４ｆ  係合片
θ１、θ２  遮光角
【図１】
0005472815.tif 000002
【図２】
0005472815.tif 000003
【図３】
0005472815.tif 000004
【図４】
0005472815.tif 000005
【図５】
0005472815.tif 000006
【図６】
0005472815.tif 000007
【図７】
0005472815.tif 000008
【図８】
0005472815.tif 000009
【図９】
0005472815.tif 000010
【図１０】
0005472815.tif 000011
【図１１】
0005472815.tif 000012